(57)【特許請求の範囲】
【請求項１】
原稿読取手段と、操作手段と、前記操作手段の操作に応じて印字動作を行う印字手段と、これら手段を制御する制御手段とを備えた画像形成装置において、
一方の面が大画面の第１表示画面とされた表示装置の反対側の面が、前記操作手段が設けられている画像形成装置筐体の正面側を除く他の側面に沿って配置されることにより、両面を合わせるようにして支持されており、
前記表示装置は、前記反対側の面の上部が前記画像形成装置筐体の側面より上方に突出するように設けられ、この反対側の面の突出部分に前記第１表示画面よりも小さい第２表示画面が設けられており、
前記制御手段は、ネットワークを介してサーバ装置と接続されるとともに、前記サーバ装置で管理されている各種提供情報を前記第１表示画面と前記第２表示画面の両方に表示する一方、前記画像形成装置の管理者によって設定された画像情報を、前記サーバ装置から取得して表示している各種提供情報の表示に割込ませて表示することを特徴とする表示一体型画像形成装置。
【請求項２】
原稿読取手段と、表示部を有する操作手段と、前記操作手段の操作に応じて印字動作を行う印字手段と、これら手段を制御する制御手段とを備えた画像形成装置において、
一方の面が大画面の第１表示画面とされた表示装置の反対側の面が、前記操作手段が設けられている画像形成装置筐体の正面側を除く他の側面に沿って配置されることにより、両面を合わせるようにして支持されており、
前記表示装置は、前記反対側の面の上部が前記画像形成装置筐体の側面より上方に突出するように設けられ、この反対側の面の突出部分に前記第１表示画面よりも小さい第２表示画面が設けられており、
前記制御手段は、ネットワークを介してサーバ装置と接続されるとともに、前記サーバ装置で管理されている各種提供情報を前記第１表示画面と前記第２表示画面と前記表示部とにそれぞれ表示する一方、前記画像形成装置の管理者によって設定された画像情報を、前記サーバ装置から取得して表示している各種提供情報の表示に割込ませて表示することを特徴とする表示一体型画像形成装置。
【請求項３】
請求項１または請求項２に記載の表示一体型画像形成装置において、
前記制御手段は、前記画像情報を前記提供情報に重ねて表示することを特徴とする表示一体型画像形成装置。
【請求項４】
請求項１または請求項２に記載の表示一体型画像形成装置において、
前記制御手段は、前記画像情報と前記提供情報とを並べて表示することを特徴とする表示一体型画像形成装置。
【請求項５】
請求項１から請求項４までのいずれか１項に記載の表示一体型画像形成装置において、
前記画像情報は前記原稿読取手段にて読み取られた原稿の画像情報であることを特徴とする表示一体型画像形成装置。
【請求項６】
請求項１から請求項４までのいずれか１項に記載の表示一体型画像形成装置において、
前記画像情報は管理者によって当該装置に入力された画像データであることを特徴とする表示一体型画像形成装置。
【請求項７】
請求項１から請求項４までのいずれか１項に記載の表示一体型画像形成装置において、
前記画像情報は前記ネットワークを介して取得されたウェブページの画像データであることを特徴とする表示一体型画像形成装置。
【請求項８】
請求項１から請求項７までのいずれか１項に記載の表示一体型画像形成装置において、
前記割込み表示させる時間設定を前記操作手段から設定可能であることを特徴とする表示一体型画像形成装置。
【請求項９】
請求項１から請求項８までのいずれか１項に記載の表示一体型画像形成装置において、
前記提供情報が動画データまたは静止画データであることを特徴とする表示一体型画像形成装置。
【請求項１０】
請求項９に記載の表示一体型画像形成装置において、
前記画像形成装置の制御手段は、前記提供情報を表示するとき、前記サーバ装置から送信されてきた提供情報が動画データである場合には、当該動画データを記憶手段に一時記憶し、当該記憶手段から読み出して表示画面に表示することを特徴とする表示一体型画像形成装置。
【請求項１１】
請求項９に記載の表示一体型画像形成装置において、
前記画像形成装置の制御手段は、前記提供情報を表示するとき、前記サーバ装置から送信されてきた提供情報が静止画データである場合には、前記記憶手段に一時記憶することなく表示画面に表示することを特徴とする表示一体型画像形成装置。
【請求項１２】
請求項１から請求項１１までのいずれか１項に記載の表示一体型画像形成装置において、
前記提供情報はＰＯＳデータを基に管理されることを特徴とする表示一体型画像形成装置。
【請求項１３】
請求項１から請求項１１までのいずれか１項に記載の表示一体型画像形成装置において、
前記提供情報は気候データを基に管理されることを特徴とする表示一体型画像形成装置。
【請求項１４】
請求項１から請求項１１までのいずれか１項に記載の表示一体型画像形成装置において、
前記提供情報は地域データを基に管理されることを特徴とする表示一体型画像形成装置。
【請求項１５】
原稿読取手段、操作手段、前記操作手段の操作に応じて印字動作を行う印字手段、これら手段を制御する制御手段を備えた表示一体型画像形成装置と、サーバ装置とがネットワークを介して接続された画像表示システムにおいて、
一方の面が大画面の第１表示画面とされた表示装置の反対側の面が、前記操作手段が設けられている画像形成装置筐体の正面側を除く他の側面に沿って配置されることにより、両面を合わせるようにして支持されており、前記表示装置は、前記反対側の面の上部が前記画像形成装置筐体の側面より上方に突出するように設けられ、この反対側の面の突出部分に前記第１表示画面よりも小さい第２表示画面が設けられ、
前記制御手段は、前記画像形成装置の管理者によって設定された画像情報を、前記サーバ装置へ送信し、前記サーバ装置は、管理している各種提供情報に送信されてきた画像情報を割り込ませて前記画像形成装置に送信し、前記制御手段は、前記サーバ装置から送信されてきた画像情報を割り込ませた各種提供情報を前記第１表示画面と前記第２表示画面の両方に表示することを特徴とする画像表示システム。
【請求項１６】
原稿読取手段、表示部を有する操作手段、前記操作手段の操作に応じて印字動作を行う印字手段、これら手段を制御する制御手段を備えた表示一体型画像形成装置と、サーバ装置とがネットワークを介して接続された画像表示システムにおいて、
一方の面が大画面の第１表示画面とされた表示装置の反対側の面が、前記操作手段が設けられている画像形成装置筐体の正面側を除く他の側面に沿って配置されることにより、両面を合わせるようにして支持されており、前記表示装置は、前記反対側の面の上部が前記画像形成装置筐体の側面より上方に突出するように設けられ、この反対側の面の突出部分に前記第１表示画面よりも小さい第２表示画面が設けられ、
前記制御手段は、前記画像形成装置の管理者によって設定された画像情報を、前記サーバ装置へ送信し、前記サーバ装置は、管理している各種提供情報に送信されてきた画像情報を割り込ませて前記画像形成装置に送信し、前記制御手段は、前記サーバ装置から送信されてきた画像情報を割り込ませた各種提供情報を前記表示画面と前記第２表示画面と前記表示部とにそれぞれ表示することを特徴とする画像表示システム。
【請求項１７】
請求項１５または請求項１６に記載の画像表示システムにおいて、
前記サーバ装置は、前記各種提供情報の表示に前記画像情報の表示を重ねて表示するように割り込ませて前記画像形成装置に送信することを特徴とする画像表示システム。
【請求項１８】
請求項１５または請求項１６に記載の画像表示システムにおいて、
前記サーバ装置は、前記各種提供情報の表示と前記画像情報の表示とを並べて表示するように割り込ませて前記画像形成装置に送信することを特徴とする画像表示システム。
【発明の詳細な説明】
【技術分野】
【０００１】
本発明は、複合機やデジタル複写機等の画像形成装置に係り、より詳細には、画像形成装置に大型の表示装置を融合させた表示一体型画像形成装置及び画像表示システムに関する。
【背景技術】
【０００２】
近時、複合機やデジタル複写機等の画像形成装置は、コンビニエンスストア（以下、「コンビニ」と略記する。）やスーパーマーケット（以下、「スーパー」と略記する。）を初めとする量販店などに多く設置されており、主に店を利用するユーザが原稿のコピーを取る場合などに利用されている。
【０００３】
ところで、近時のコンビニは、道路側（歩道側）に面した店舗部分が全面ガラス張りとなっており、歩道を歩いている人に店内の様子が一目で分かるように商品が陳列されている。例えば、図３０に示すように、入り口５００を介して広いスペース側のガラス窓５０１沿いに本棚５１０が設置されており、狭いスペース側のガラス窓５０２沿いに画像形成装置Ａが設置され、その画像形成装置Ａの店内奥側に図示しないレジカウンタが配置されている、といった配置パターンが一般的である。そして、このような配置構成において、従来は、歩道側のガラス窓５０１，５０２に、店外に向かってポスター等の紙広告５０５を直接貼付して、歩行者に対し各種の宣伝活動を行っていた。また、店内の陳列台の僅かな空きスペースに紙広告を貼付して、店内のお客に対する宣伝活動を行っていた。
【０００４】
このような宣伝活動では、広告を頻繁に入れ替えることは難しく、例えば、時間帯によってサラリーマンの通行が多い時間帯はサラリーマンに的を絞った宣伝広告を行い、昼間の主婦層や学生が多い時間帯には、主婦や学生に的を絞った宣伝広告を行う、といったきめ細かい宣伝活動が行えないといった問題があった。
【０００５】
また、歩道側を全面ガラス張りとし、このガラス面に広告を貼付する手法は、不動産会社等にも採用されており、ガラス面の壁一面に各種不動産情報の紙広告を貼付して通行人に提供している。しかし、この場合でも、賃貸契約や売買契約が成立した不動産情報の撤去や、新たな不動産情報の貼付等を従業員が手作業で行う必要があるため、撤去のし忘れや貼り忘れ等が頻繁に発生し、提供情報が必ずしも最新のものでない場合があるといった問題があった。
【０００６】
一方、上記したように、各店舗に設置されている画像形成装置は、もっぱら店を利用するユーザが原稿のコピーを取る場合にのみ利用されており、それ以外にはほとんど利用されていないのが現状である。そこで、このような画像形成装置の利用効率を向上させるための工夫が従来からされている（例えば、特許文献１〜３等参照）。
【０００７】
特許文献１には、店舗に壁面ディスプレイとプリンタとを接続して設置し、壁面ディスプレイに表示された広告情報に対応する印刷ボタンを押下すると、当該印刷ボタンが押下された広告情報をプリンタで印刷することのできる広告情報処理システムが記載されている。
【０００８】
また、特許文献２には、複写機である画像処理装置とキャッシュレジスタとがＬＡＮで接続されており、複写機の原稿台にセットされた掲示画像原稿を読み取ると、この掲示画像を複写機の操作画面に表示するとともに、ＬＡＮを経由してキャッシュレジスタの表示装置に表示する画像処理装置が記載されている。
【０００９】
また、特許文献３には、画像形成装置本体の前カバーまたは側面カバーに液晶モニタを取り付け、パーソナルコンピュータの出力信号を液晶モニタの表示部に表示する構成の画像形成装置が記載されている。
【特許文献１】特開２００２−３２９１３９号公報
【特許文献２】特開２００２−１５６８７３号公報
【特許文献３】特開２００２−５５５０１号公報
【発明の開示】
【発明が解決しようとする課題】
【００１０】
このように、画像形成装置と表示装置とを接続し、表示装置に表示されている広告情報を画像形成装置で印刷したり、画像形成装置から読み取った掲示画像を当該画像形成装置の操作画面やキャッシュレジスタの表示装置に表示することで、画像形成装置を利用して広告宣伝機能を高める工夫が従来から行われている。
【００１１】
しかし、特許文献１のものは、歩道側の壁面全体にディスプレイを設置し、このディスプレイと店内に設置されているプリンタとを通信ケーブルで接続する必要があるため、設置作業が大がかりとなり、また、店舗ごとに設置する必要があることから、設置作業が極めて煩雑であるといった問題があった。また、一旦設置した後は、レイアウトを臨機応変に変更したくても、簡単に行うことができないといった問題もあった。
【００１２】
また、特許文献２のものでは、広告情報を画像形成装置の操作画面やキャッシュレジスタの表示画面に表示することは可能であるが、これは店舗内にいる客に対しての宣伝広告であり、店舗前の歩道を歩いている人に対する宣伝広告とはなっていない。また、画像形成装置の操作画面やキャッシュレジスタの表示画面に表示するだけでは、店内の客もほとんど気が付かず、十分な宣伝効果が得られないといった問題があった。
【００１３】
また、特許文献３のものでは、広告情報を液晶モニタの表示画面に表示することは可能であるが、これは画像形成装置の操作者に対する表示であり、店舗前の歩道を歩いている人に対する宣伝広告とはなっていない。また、液晶モニタに広告情報を表示することで、店舗内にいる客に対して宣伝広告を行うことも考えられるが、このような小型の液晶モニタの表示画面に表示するだけでは、店内の客もほとんど気が付かず、十分な宣伝効果が得られないといった問題があった。
【００１４】
さらに、特許文献１及び特許文献２においては、店舗などに設置している装置そのものに広告情報等のデータを記憶しており、データが大きくなればなるほど記憶容量も多く必要となる。
【００１５】
なお、店舗内に画像形成装置と大画面（例えば、５０インチ等）のディスプレイ装置とをケーブルで接続して設置することも行われているが、コンビニやスーパー等の店舗では、売り場面積を如何に広く確保するかが課題であり、このように２つの大型機器を並置することは、売り場面積が狭くなるためあまり普及していない。また、狭い店舗では設置場所すら確保できない場合もあり、店舗側にとって必ずしもメリットのあるシステムとはなっていないのが現状である。例えば、５２Ｖ型の液晶ディスプレイ（シャープ製  ＰＮ−５２５）の外観寸法は、高さ１２５４ｍｍ×横幅７４２mm×奥行９２ｍｍ、質量４４Kg、そして、液晶ディスプレイのスタンド（シャープ製  ＩＤ−ＤＳ０３Ｗ）の外観寸法は、横幅９１７mm×奥行８７０ｍｍ、さらにデジタル複合機（シャープ製  ＭＸ−３５００ＦＮ）の外観寸法は、高さ９５０ｍｍ×横幅６４５mm×奥行６７０ｍｍ、質量１２０Kg、である。ここで、液晶ディスプレイとデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要である。
【００１６】
本発明はかかる問題点を解決すべく創案されたもので、その目的は、広い設置場所を必要とせず、かつ、設置作業が極めて簡単であるとともに、歩道側の歩行者に対しても十分な宣伝効果を得ることのできる表示一体型画像形成装置及び画像表示システムを提供することにある。
【課題を解決するための手段】
【００１７】
上記課題を解決するため、本発明の表示一体型画像形成装置は、原稿読取手段と、操作手段と、前記操作手段の操作に応じて印字動作を行う印字手段と、これら手段を制御する制御手段とを備えた画像形成装置において、一方の面が大画面の第１表示画面とされた表示装置の反対側の面が、前記操作手段が設けられている画像形成装置筐体の正面側を除く他の側面に沿って配置されることにより、両面を合わせるようにして支持されており、前記表示装置は、前記反対側の面の上部が前記画像形成装置筐体の側面より上方に突出するように設けられ、この反対側の面の突出部分に前記第１表示画面よりも小さい第２表示画面が設けられており、前記制御手段は、ネットワークを介してサーバ装置と接続されるとともに、前記サーバ装置で管理されている各種提供情報を前記第１表示画面と前記第２表示画面の両方に表示する一方、前記画像形成装置の管理者によって設定された画像情報を、前記サーバ装置から取得して表示している各種提供情報の表示に割込ませて表示する構成としている。
【００１８】
このような構成によれば、画像形成装置を表示装置の脚部として兼用することで、画像形成装置と表示装置という２台の大型機器の設置スペースを、実質的に画像形成装置の設置スペースに収めることが可能となる。上記解決課題で説明したように、表示装置である液晶ディスプレイと画像形成装置であるデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要であるが、デジタル複合機の背面に液晶ディスプレイを装着すれば、床占有面積は、横幅：液晶ディスプレイ幅７４２ｍｍ×奥行：７６２ｍｍ（液晶ディスプレイの奥行９２ｍｍ＋デジタル複合機の奥行６７０ｍｍ）で済ませることができる。また、液晶ディスプレイを縦置きにするとバランスが悪いが、デジタル複合機と一体にすることで、デジタル複合機と液晶ディスプレイの重量バランスがよく安定した設置が可能である。これにより、コンビニやスーパー等の狭い店舗においても、画像形成装置を従来から設置している場所にほぼそのまま設置することができる。この場合、第１表示画面が外側を向くようにして画像形成装置の例えば背面側に表示装置を取り付けると、画像形成装置を従来通り店舗内に設置するだけで、表示装置の第１表示画面が、道路側（すなわち、歩道側）の壁面ガラスを介して店舗外の歩行者側に向くことになる。従って、この表示装置の第１表示画面に広告情報を表示することで、店舗外の歩行者にインパクトのある宣伝広告を行うことが可能となる。
【００１９】
また、第１表示画面に表示する広告情報として、サーバ装置で管理されている各種提供情報を、ネットワークを介して取得する構成としている。すなわち、広告等のデータを外部のサーバ装置で一括して記憶管理することができるため、店舗等に設置される表示一体型画像形成装置の記憶容量を少なくすることができる。
【００２０】
この場合、前記制御手段は、前記表示装置に表示されている情報から前記操作手段を介して所望の情報が選択されると、その選択された情報を前記印字手段により印字出力するように構成してもよい。これにより、ユーザは、操作手段を操作することで、その広告情報自体、またはその広告情報に付加されているクーポン券などを取得することができる。
【００２１】
また、本発明の表示一体型画像形成装置は、通信手段をさらに備え、前記制御手段は、前記操作手段を介して所望の情報が選択されると、その選択された情報を前記通信手段により携帯端末へ送信するように構成してもよい。これにより、ユーザは、例えば広告情報に付加されているクーポン券等を携帯端末のメモリに保存することができ、必要なときに携帯端末の表示画面にクーポン券を表示することで、そのクーポン券を利用することが可能となる。
【００２２】
また、本発明の表示一体型画像形成装置は、同じ提供情報を第１表示画面と表示部の両方に表示することで、店舗外の歩行者が表示装置の第１表示画面に表示されている情報を見て店舗内に入り、画像形成装置の前にきたときに、操作手段の表示部にも同じ情報が表示されているので、その後の選択操作を容易に行うことが可能となる。
【００２３】
この場合、前記制御手段は、前記第１表示画面に表示されている提供情報と関連する関連情報を前記表示部に表示するように構成してもよい。すなわち、第１表示画面に表示されている提供情報（広告情報）と関連する関連情報（例えば、広告情報が商品情報である場合には、その商品のクーポン券などの情報）を表示部に表示することで、その後の処理、すなわちそのクーポン券を取得するための処理をスムーズに行うことが可能となる。
【００２４】
また、本発明の表示一体型画像形成装置は、原稿読取手段と、表示部を有する操作手段と、前記操作手段の操作に応じて印字動作を行う印字手段と、これら手段を制御する制御手段とを備えた画像形成装置において、一方の面が大画面の第１表示画面とされた表示装置の反対側の面が、前記操作手段が設けられている画像形成装置筐体の正面側を除く他の側面に沿って配置されることにより、両面を合わせるようにして支持されており、前記表示装置は、前記反対側の面の上部が前記画像形成装置筐体の側面より上方に突出するように設けられ、この反対側の面の突出部分に前記第１表示画面よりも小さい第２表示画面が設けられており、前記制御手段は、ネットワークを介してサーバ装置と接続されるとともに、前記サーバ装置で管理されている各種提供情報を前記第１表示画面と前記第２表示画面と前記表示部とにそれぞれ表示する一方、前記画像形成装置の管理者によって設定された画像情報を、前記サーバ装置から取得して表示している各種提供情報の表示に割込ませて表示する構成としている。このように、同じ提供情報を表示画面と第２表示画面の両方に表示することで、店舗外の歩行者が表示装置の表示画面に表示されている情報を見て店舗内に入り、画像形成装置の前にきたときに、第２表示画面にも同じ情報が表示されているので、その後の選択操作を容易に行うことが可能となる。
【００２５】
この場合、前記制御手段は、前記第１表示画面に表示されている提供情報と関連する関連情報を前記第２表示画面に表示するように構成してもよい。すなわち、第１表示画面に表示されている提供情報（広告情報）と関連する関連情報（例えば、広告情報が商品情報である場合には、その商品のクーポン券などの情報）を第２表示画面に表示することで、その後の処理、すなわちそのクーポン券を取得するための処理をスムーズに行うことが可能となる。
【００２７】
この場合、前記制御手段は、前記第１表示画面に表示されている提供情報と関連する関連情報を前記第２表示画面及び前記表示部の両方に表示するように構成してもよい。すなわち、表示画面に表示されている提供情報（広告情報）と関連する関連情報（例えば、広告情報が商品情報である場合には、その商品のクーポン券などの情報）を第２表示画面と操作手段の表示部の両方に表示することで、その後の処理、すなわちそのクーポン券を取得するための処理をスムーズに行うことが可能となる。
【００２８】
また、上記構成の表示一体型画像形成装置において、前記制御手段は、前記第１表示画面に表示されている提供情報の中から１つの関連情報を選択するための選択情報（リンク、画面切換え、印刷等）を前記第２表示画面または前記表示部に表示するように構成してもよい。これにより、その後の処理をスムーズに行うことが可能となる。
【００２９】
また、上記構成の表示一体型画像形成装置において、前記操作手段とは別に前記第２表示画面を第２操作手段として利用し、前記操作手段または前記第２操作手段のいずれか一方または両方で操作可能としてもよい。これにより、利用者の使い勝手を向上させることができる。そして、前記制御手段は、前記表示装置に表示されている情報から前記操作手段または前記第２操作手段を介して所望の情報が選択されると、その選択された情報を前記印字手段により印字出力するように構成してもよい。また、通信手段をさらに備え、前記制御手段は、前記表示装置に表示されている情報から前記操作手段または前記第２操作手段を介して所望の情報が選択されると、その選択された情報を前記通信手段により携帯端末へ送信するように構成してもよい。
【００３０】
また、上記構成の表示一体型画像形成装置において、前記制御手段は、前記第１表示画面に表示されている提供情報を前記第２表示画面または前記表示部にサムネイル表示するように構成してもよい。サムネイル表示とすることで、利用者の選択操作が容易となる。すなわち、所望するサムネイルを選択操作することで、そのサムネイルで示す関連情報を容易に表示することができる。
【００３１】
また、上記構成の表示一体型画像形成装置において、前記制御手段は、当該装置の管理者によって設定された画像情報を、前記サーバ装置から取得して表示している各種提供情報の表示に割込ませて表示するように構成してもよい。この場合、前記制御手段は、前記画像情報を前記提供情報に重ねて表示、または、前記画像情報と前記提供情報とを並べて表示するように、表示レイアウトを設定することが可能である。これにより、顧客にとって見易い、若しくはインパクトのある表示を行うことができる。また、前記割込み表示させる時間設定を前記操作手段または前記第２操作手段から設定可能に設けても良い。割り込み時間を管理者が自由に設定できることで、割り込み表示の表示時間を、例えば割り込み表示させる時間帯の店舗外の人の通行量などを考慮して、最適な時間長さに設定することが可能となる。
【００３２】
ここで、前記画像情報は、前記原稿読取手段にて読み取られた原稿の画像情報、または管理者によって当該装置に入力された画像データ、または前記ネットワークを介して取得されたウェブページの画像データのいずれかである。
【００３３】
この場合、提供情報としては、動画データまたは静止画データのいずれでもよい。制御手段は、提供情報を表示するとき、サーバ装置から送信されてきた提供情報が動画データである場合には、当該動画データを記憶手段に一時記憶し、当該記憶手段から読み出して表示画面に表示するように構成してもよい。このように動画データの場合には記憶手段に一時記憶してから表示することで、外部のサーバ装置からのデータ転送に影響されることなく、スムーズな画像表示が可能となる。一方、制御手段は、提供情報を表示するとき、サーバ装置から送信されてきた提供情報が静止画データである場合には、記憶手段に一時記憶することなく表示画面に表示するように構成してもよい。すなわち、静止画データであれば、外部のサーバ装置からのデータ転送に影響されることはないので、そのまま表示する。
【００３４】
なお、本発明の表示一体型画像形成装置においては、前記提供情報は、ＰＯＳデータ、または気候データ、または地域データを基に管理されている。
【００３５】
また、本発明の画像表示システムは、上記構成の表示一体型画像形成装置とサーバ装置とがネットワークを介して接続された画像表示システムであって、前記制御手段は、前記画像形成装置の管理者によって設定された画像情報を、前記サーバ装置へ送信し、前記サーバ装置は、管理している各種提供情報に送信されてきた画像情報を割り込ませて前記画像形成装置に送信することを特徴としている。この場合、サーバ装置は、各種提供情報の表示に画像情報の表示を重ねて表示するように割り込み処理を行って画像形成装置に送信し、または、各種提供情報の表示と画像情報の表示とを並べて表示するように割り込み処理を行って画像形成装置に送信するように構成してもよい。
【００３６】
すなわち、本発明の画像表示システムによれば、表示一体型画像形成装置では、割り込ませたい画像情報をサーバ装置にアップロードし、各種提供情報と画像情報との割り込み処理はサーバ装置側で行い、割り込み処理後のデータを表示一体型画像形成装置に転送することで、表示一体型画像形成装置側の割り込み処理の負担が軽減されることになる。すなわち、表示一体型画像形成装置では、サーバ装置から転送されてきた割り込み処理後のデータを単に表示画面等に表示するだけで、割り込み表示を行うことが可能となる。
【発明の効果】
【００４０】
本発明によれば、画像形成装置の管理者によって設定された画像情報を、サーバ装置から取得して表示している各種提供情報の表示に割込ませて表示するように構成したので、顧客にとって見易い、若しくはインパクトのある表示を行うことができる。
【発明を実施するための最良の形態】
【００４２】
以下、本発明の実施の形態について、図面を参照して説明する。
【００４３】
図１（ａ）〜（ｃ）は、本発明の表示一体型画像形成装置の一実施形態の外観斜視図である。
【００４４】
この画像形成装置Ａ１は、正面側から見た形状がコの字型に形成された胴内排紙構造の画像形成装置であり、胴内排紙口部５１の上部側に原稿押さえ蓋５２、原稿読取部５３及びスキャナー部５４が配置され、胴内排紙口部５１の下部側に画像形成部５５及び給紙部５６が配置されている。また、原稿読取部５３の正面側には、キーボード式及びタッチパネル式の操作部５８とが設けられている。
【００４５】
すなわち、この画像形成装置Ａ１は、長方形状に形成された背面側の筐体１１ａと右側面側の筐体１１ｂ、及び胴内排紙口部５１部分がコの字型に切り欠かれた略長方形状の正面側の筐体１１ｃと左側面側の筐体１１ｄとで囲まれているとともに、これら筐体上部が原稿押さえ蓋５２及び原稿読取部５３を含むスキャナー部５４によって覆われた構造となっている。また、図示は省略しているが、筐体下部の四隅にはそれぞれキャスターが設けられており、画像形成装置を自由に押して移動できるようになっている。
【００４６】
この画像形成装置Ａ１は、原稿読取部５３に原稿を置く場合、胴内排紙口部５１の排紙トレイ５７から記録用紙を取り出す場合、給紙部５６に記録用紙を補給する場合は、画像形成装置の正面側から行うことが可能なフロントアクセスタイプとなっている。また、正面側筐体１１ｃの胴内排紙口部５１のすぐ下に前扉１２が設けられ、右側面側筐体１１ｂにも上下２箇所に横扉１３，１４が設けられており、前扉１２の下に給紙部５６の各給紙用カセット５６ａ，５６ｂが前側に引き出し可能に配置されている。そして、前扉１２を開けることにより、トナーの補給、感光体の交換、定着器や帯電器の修理や交換などのメンテナンスを行うことが可能となっている。また、詰まった記録用紙を用紙搬送路から除去する場合には、横扉１３，１４も必要に応じて開くようになっている。ただし、排紙トレイ５７を胴内排紙口部５１に配置する以外、その上部と下部に配置される各構成部は一例であり、この配置構成に限定されるものではない。
【００４７】
上記構成において、本実施形態では、画像形成装置Ａ１の背面側筐体１１ａに、第１表示画面２２を外側に向けて大型の表示装置（ディスプレイ）２１が、画面長手方向を上下に向けて配置した状態で一体的に取り付けられている。すなわち、本実施形態では、画像形成装置Ａ１を大型ディスプレイ２１の脚部として利用している。これにより、画像形成装置Ａ１と大型ディスプレイ２１という２台の大型機器の設置スペースを、実質的に画像形成装置Ａ１の設置スペースに収めることが可能となる。また、画像形成装置Ａ１と大型ディスプレイ２１との接続コードも外部に露出することがないので、見かけ上もスッキリするとともに、接続コードを引っかけてしまうといった問題も発生しない。ただし、厳密には、大型ディスプレイ２１の厚み分と後述する上下移動機構部及び回転機構部の奥行き分とのスペースが必要である。これにより、コンビニやスーパー等の狭い店舗においても、画像形成装置を従来から設置している場所に、本発明の表示一体型画像形成装置をほぼそのまま設置することが可能となるものである。
【００４８】
また、大型ディスプレイ２１は、その上部が背面側筐体１１ａより上方に突出するように配置されており、その突出部分の第１表示画面２２とは反対側の面に第２表示画面２３が配置されている。ただし、第２表示画面２３は必須ではないが、利用者の利便性を考慮すると設けておいた方が良い。また、上記実施例では、大型ディスプレイ２１の第１表示画面２２と第２表示画面２３とを一体としているが、それぞれ別体としてもよい。
【００４９】
図２は、上記構成の表示一体型画像形成装置をコンビニに設置した状態の一例を示しており、（ａ）は斜視図、（ｂ）は平面図である。
【００５０】
すなわち、近時のコンビニは、道路側（歩道側）に面した店舗部分が全面ガラス張りの透明のガラス窓となっており、歩道を歩いている人に店内の様子が一目で分かるように商品が陳列されている。具体的には、入り口５００を介して広いスペース側のガラス窓５０１沿いに本棚５１０が配置され、狭いスペース側のガラス窓５０２沿いに画像形成装置Ａ１が設置されており、その画像形成装置Ａ１の店内奥側にレジカウンタ５０３が配置され、本棚５１０の店内奥側に各種商品棚５１１が配置されている、といった配置パターンが一般的である。この場合、画像形成装置Ａ１は、背面側に取り付けられた大型ディスプレイ２１の第１表示画面２２が外側（すなわち、店舗外の歩道側）を向くように配置する。これにより、大型ディスプレイ２１の第１表示画面２２が、道路側（すなわち、歩道側）のガラス窓５０２を介して店舗外の歩行者側に向くことになる。従って、この大型ディスプレイ２１の第１表示画面２２に広告情報を表示することで、店舗外の歩行者にインパクトのある宣伝広告を行うことが可能となる。この場合、第２表示画面２３には、歩道側に向かって設置されている第１表示画面２２に表示されている広告情報と同じ情報を表示してもよいし、あるいは、第１表示画面２２に表示されている広告情報に関連する情報（詳細情報等）を表示するようにしてもよい。これにより、第１表示画面２２の広告内容に興味を持った歩行者が店内に入ってきて画像形成装置Ａ１の前にくると、第２表示画面２３にその詳細情報が表示されているので、第２表示画面２３のタッチパネル若しくは画像形成装置Ａ１の操作部５８を操作することで、所望する情報の印刷等を行うことが可能となる。例えば、第１表示画面２２にクーポンの発券を行う情報が表示されており、これを見た客が店内に入って第２表示画面２３の詳細情報に表示されているクーポンの発券ボタンを操作（タッチ）すると、画像形成装置Ａ１がクーポン券を印刷して出力する、といったことが可能となる。
【００５１】
図３（ａ）〜（ｃ）は、本実施形態の大型ディスプレイ２１を画像形成装置Ａ１の背面側筐体１１ａに対して上下方向にスライド移動させたときの動作イメージ図、図３（ｄ）〜（ｆ）は、大型ディスプレイ２１を画像形成装置Ａ１の背面側筐体１１ａに沿って水平方向に±９０度回転させたときの動作イメージ図である。
【００５２】
設置する店舗によっては、ガラス窓５０２の下部分が目隠しされていたり、別の紙広告等が貼付されていたりする場合もあるため、図３（ａ）〜（ｃ）に示すように高さ調整可能及び高さ位置固定可能とすることで、大型ディスプレイ２１を各店舗に合った最適な高さに設置することが可能となる。同様に、設置する店舗によっては、大型ディスプレイ２１を縦向きではなく横向きに設置したい場合もある。従って、大型ディスプレイ２１を図３（ｄ）〜（ｆ）に示すように画像形成装置Ａ１の筐体１１ａに沿って回転可能及び所定角度（この例では９０度）位置で位置固定可能とすることで、店舗側の事情に合わせた種々の設置形態をとることが可能となる。
【００５３】
＜ディスプレイ上下移動機構部の説明＞
次に、図３（ａ）〜（ｃ）に示す上下スライド移動を可能とするためのディスプレイ上下移動機構部の構造の一実施例について、図４及び図５を参照して説明する。ただし、図４は上下移動機構部３０の分解斜視図、図５は上下移動機構部３０を上から見た断面図である。
【００５４】
画像形成装置Ａ１の背面側筐体１１ａの左右両側部には、後方に平行に突出するように設けられた長板形状の一対の保持板３１，３１が一体形成（または、ネジ等によって取り付け固定）されており、この保持板３１，３１によって囲まれた背面側筐体１１ａに、所定の間隔Ｌ１を存して後方に平行に突出するように設けられた長板形状の一対のガイドレール板３２，３２が、図示しないネジ等によって一体的に取り付け固定されている。このガイドレール板３２，３２には、互いに対向する面とは反対側の面（すなわち、保持板３１と対向する面）に、その上端部から下端部まで連通する１条のレール溝部３３，３３がそれぞれ形成されている。
【００５５】
一方、大型ディスプレイ２１の背面側筐体２１ａには、所定の間隔Ｌ２を存して前方に平行に突出するように設けられた長板形状の一対のディスプレイ保持スライダ２４，２４が、ネジ２６等によって取り付け固定されている。このディスプレイ保持スライダ２４，２４には、互いに対向する面に、その上端部から下端部まで連通する１条のレール突起部２５，２５がそれぞれ形成されており、このレール突起部２５，２５が、ガイドレール板３２，３２の各レール溝部３３，３３にそれぞれ嵌まり合うことによって、上下方向にスライド移動可能に係合されている。すなわち、所定の間隔Ｌ１，Ｌ２は、これらレール突起部２５とレール溝部３３との係合を保持した状態で上下方向にスムーズにスライド移動可能となるように設定されている。
【００５６】
また、一方の保持板（図４及び図５では右側の保持板）３１には、対向するディスプレイ保持スライダ２４を固定するための上下動固定ピン３６が設けられている。この上下動固定ピン３６は、コイルバネ３７によって常にディスプレイ保持スライダ２４方向に付勢されており、上下動固定ピン３６をディスプレイ保持スライダ２４の対向する外面側に形成された複数個の固定穴２７（本実施例では２７ａ，２７ｂ，２７ｃの３個）のいずれか一つと係合させて、ディスプレイ保持スライダ２４の高さ位置を固定することにより、大型ディスプレイ２１の高さ位置を調整することができるようになっている。
【００５７】
ここで、大型ディスプレイ２１の高さ位置を、例えば図３（ａ）から図３（ｂ）に変更する場合の操作方法について説明する。
【００５８】
まず、保持板３１に設けられている上下動固定ピン３６のハンドル部３６ａを引っ張ってコイルバネ３７を弾性圧縮させ、ディスプレイ保持スライダ２４の固定穴２７ａから上下動固定ピン３６の係合を外す。これにより、ディスプレイ保持スライダ２４がスライド移動可能となる。次に、上下動固定ピン３６のハンドル部２６ａを引っ張った状態で、大型ディスプレイ２１を図３（ｂ）の位置まで上昇させ、上下動固定ピン３６のハンドル部３６ａの引っ張りを解除する。すると、上下動固定ピン３６に設けられているコイルバネ３７の付勢力（弾性復元力）によって、上下動固定ピン３６がディスプレイ保持スライダ２４の固定穴２７ｂと係合し、大型ディスプレイ２１が図３（ｂ）の位置に固定されることになる。
【００５９】
なお、上記の操作説明では、ディスプレイ保持スライダ２４の固定穴２７ａから上下動固定ピン３６の係合を外してから、次の固定穴２７ｂに上下動固定ピン３６を係合させるまでの間、ハンドル部３６ａをずっと引っ張るようにしているが、固定穴２７ａから上下動固定ピン３６の係合を外した後、ディスプレイ保持スライダ２４を若干上方にスライドさせた時点でハンドル部３６ａの引っ張りを解除してもよい。これにより、ディスプレイ保持スライダ２４をゆっくりと上昇させていくと、次の固定穴２７ｂに上下動固定ピン３６の先端が一致したときに、コイルバネ３７の付勢力（弾性復元力）によって上下動固定ピン３６が固定穴２７ｂに自動的に係合することになる。
【００６０】
＜ディスプレイ回転機構部の説明＞
次に、図３（ｄ）〜（ｆ）に示す回転移動を可能とするためのディスプレイ回転移動機構部の構造の一実施例について、図６及び図７を参照して説明する。ただし、図６は回転移動機構部４０の要部斜視図、図７は回転移動機構部４０を上から見た断面図である。
【００６１】
画像形成装置Ａ１の背面筐体１１ａに設けられた大型ディスプレイ２１は、図３（ｄ）〜（ｆ）に示すように、縦長の表示状態（図３（ｄ））を中心に時計回りに±９０度回転させて横長の表示状態（図３（ｂ），（ｃ））にすることにより、使用者の所望する向きに大型ディスプレイ２１を保持できるようになっている。
【００６２】
これを実現するための本実施例の回転移動機構部４０は、画像形成装置Ａ１の背面筐体１１ａに設けられた軸受部４１によって回転軸４２の一端部４２ａ側を支持し、この回転軸４２の他端部４２ｂに大型ディスプレイ２１の背面側筐体２１ａを支持固定した構造となっている。大型ディスプレイ２１の背面側筐体２１ａには、回転軸４２の他端部４２ｂを支持固定するための円筒形状の保持部２８が設けられており、この保持部２８に回転軸４２の他端部４２ｂを挿通した状態で、保持部２８の外周面側から回転軸４２に対してネジ２９等をねじ込むことによって、大型ディスプレイ２１が回転軸４２に一体的に支持固定されている。
【００６３】
一方、画像形成装置Ａ１の背面筐体１１ａに設けられた軸受部４１は、背面筐体１１ａに支持固定された第１軸受部４１ａと、背面筐体１１ａの内部に設けられた軸受支持板４５に支持固定された第２軸受部４１ｂとによって構成されており、回転軸４２の一端部４２ａ側は、これら第１軸受部４１ａと第２軸受部４１ｂとによって支持されている。
そして、これら第１軸受部４１ａと第２軸受部４１ｂとの間の回転軸４２に、円周部にピン溝４３ａ、ピン溝４３ｂ、ピン溝４３ｃを９０度毎に設けた回転盤４３が一体的に設けられている。
【００６４】
一方、画像形成装置Ａ１の左側面側筐体１１ｄには、回転軸４２の回転位置を固定するための回転固定ピン４６が設けられている。この回転固定ピン４６は、コイルバネ４７によって常に回転盤４３の方向に付勢されており、回転固定ピン４６を回転盤４３の円周部に設けられた３個のピン溝４３ａ〜４３ｃのいずれか一つと係合させて、回転盤４３の回転位置（すなわち、回転軸４２の回転位置）を固定することにより、図３（ｄ）〜（ｆ）に示すように、大型ディスプレイ２１を時計回り０度の位置、時計回り９０度の位置、時計回り−９０度の位置にそれぞれ保持することができるようになっている。
【００６５】
ここで、大型ディスプレイ２１の回転角度位置を、時計回り０度の位置（図３（ｄ）に示す位置）から時計回り−９０度の位置（図３（ｅ）の位置）に回転させる場合の操作方法について説明する。
【００６６】
まず、画像形成装置Ａ１の左側面側筐体１１ｄに設けられている回転固定ピン４６のハンドル部４６ａを引っ張ってコイルバネ４７を弾性圧縮させ、回転盤４３のピン溝４３ｂから回転固定ピン４６の係合を外す。これにより、回転軸４２が回転移動可能となる。次に、回転固定ピン４６のハンドル部４６ａを引っ張った状態で、大型ディスプレイ２１を図３（ｅ）の位置まで時計回りに−９０度回転させ、回転固定ピン４６のハンドル部４６ａの引っ張りを解除する。すると、回転固定ピン４６に設けられているコイルバネ４７の付勢力（弾性復元力）によって、回転固定ピン４６が回転盤４３のピン溝４３ｃと係合し、大型ディスプレイ２１が図３（ｅ）の位置に固定されることになる。
【００６７】
同様に、回転固定ピン４６のハンドル部４６ａを引っ張ってコイルバネ４７を弾性圧縮させ、回転盤４３のピン溝４３ｂから回転固定ピン４６の係合を外した状態で、大型ディスプレイ２１を図３（ｆ）の位置まで時計回りに＋９０度回転させると、回転固定ピン４６が回転盤４３のピン溝４３ａと係合することになる。
【００６８】
なお、上記の操作説明では、回転盤４３のピン溝４３ｂから回転固定ピン４６の係合を外してから、次のピン溝４３ｃに回転固定ピン４６を係合させるまでの間、ハンドル部４６ａをずっと引っ張るようにしているが、ピン溝４３ｂから回転固定ピン４６の係合を外した後、回転軸４２を反時計方向に若干回転させた時点で、ハンドル部４６ａの引っ張りを解除してもよい。これにより、回転軸４２を半時計方向にさらに回転させていくと、次のピン溝４３ｃに回転固定ピン４６の先端が一致したときに、コイルバネ４７の付勢力（弾性復元力）によって回転固定ピン４６がピン溝４３ｃに自動的に係合することになる。
【００６９】
なお、上記機構部の説明では、ディスプレイ上下移動機構部３０とディスプレイ回転機構部４０とをそれぞれ個別に設けた場合について説明しているが、両機構部を一体として設けてもよい。図８は、ディスプレイ上下移動機構部３０とディスプレイ回転機構部４０を一体として設けた場合の要部分解斜視図である。
【００７０】
ディスプレイ上下移動機構部３０のみを設ける場合には、図４に示すように、保持板３１とガイドレール板３２，３２とを画像形成装置Ａ１の背面側筐体１１ａに直接固定しているが、図８では、この保持板３１とガイドレール板３２，３２とを上下移動用基板３９に固定し、図６及び図７に示す回転軸４２の他端部４２ｂに、この上下移動用基板３９を支持固定した構造とすればよい。これにより、図３（ａ）〜（ｃ）に示す上下移動と、同図（ｄ）〜（ｆ）に示す回転移動とを組み合わせて行うことができるので、各店舗の設置条件に合わせた柔軟な配置構成を実現することが可能となる。
【００７１】
次に、本発明の表示一体型画像形成装置の各種配置構成や大型ディスプレイ２１の形状等の他の実施形態について説明する。
【００７２】
例えば、図３（ｄ）〜（ｆ）では、回転中心が大型ディスプレイ２１の中央部よりやや下側となっている。そのため、この大型ディスプレイ２１を回転させると、同図（ｅ），（ｆ）に示すように、大型ディスプレイ２１の一方が画像形成装置Ａ１の背面側筐体１１ａの横幅からはみ出すことになる。しかし、コンビニ等では、コピーを有料で提供しており、そのための課金装置が画像形成装置Ａ１の横に設置されているのが普通である。従って、大型ディスプレイ２１のはみ出し幅がこの課金装置の設置幅と略同じ幅である場合には、大型ディスプレイ２１を横置きにしても何ら問題とはならない。
【００７３】
また、上記実施形態では、大型ディスプレイ２１を画像形成装置Ａ１の背面側に取り付けている場合について説明しているが、原稿の読み込みや排紙トレイからの用紙の取り出し、給紙カセットへの記録用紙の補給やメンテナンス等による各扉の開閉等に支障がなければ、例えば図９に示すように、画像形成装置Ａ１の一方の側面側筐体１１ｄに大型ディスプレイ２１を取り付けてもよい。なお、図９（ａ）は第２表示画面２３がある場合、同図（ｂ）は第２表示画面２３が無い場合を例示している。
【００７４】
図１０は、図９に示す画像形成装置Ａ１をコンビニに設置した状態の一例を示している。この例では、入り口５００を介して狭いスペース側のガラス窓５０４沿いに、側面側に取り付けられた大型ディスプレイ２１の第１表示画面２２が外側（すなわち、店舗外の歩道側）を向くように、画像形成装置Ａ１をガラス窓５０４に対して横向きに設置している。すなわち、画像形成装置Ａ１の背面側を壁側５０５に向けて設置している。これは、ガラス窓５０４とレジカウンタ５０６との間に画像形成装置Ａ１の利用者の操作スペースが十分に確保できない場合に有効な設置形態であり、画像形成装置Ａ１の側面に大型ディスプレイ２１を取り付けることで、このような設置形態が可能となる。
【００７５】
さらに、上記実施形態では、大型ディスプレイ２１を縦長に設置した場合の当該大型ディスプレイ２１の横幅と画像形成装置Ａ１の横幅とを一致させているが、横幅は必ずしも一致している必要はない。例えば、図１１（ａ）に示すように、大型ディスプレイ２１の横幅が画像形成装置Ａ１の横幅より若干幅広であってもよく、同図（ｂ）に示すように、大型ディスプレイ２１の横幅が画像形成装置Ａ１の横幅より幅狭であってもよい。
【００７６】
さらにまた、大型ディスプレイ２１を画像形成装置Ａ１の一側面を開閉する開閉扉として兼用することも可能である。例えば、画像形成装置Ａ１の背面側筐体１１ａの一側部と、大型ディスプレイ２１の背面側の一側部とを蝶番等で開閉可能に支持することで、図１２に示すように、画像形成装置Ａ１の背面側を開閉することが可能となる。これにより、メンテナンス時や記録用紙が搬送経路上で詰まったときなどに、大型ディスプレイ２１を開くことで、メンテナンス作業や詰まった用紙の取り出しが容易となる。また、画像形成装置Ａ１の内部を開放する扉を大型ディスプレイ２１で兼用することで、従来の横扉１３，１４を省略することが可能となる。
【００７７】
また、上記実施形態では、大型ディスプレイ２１を画像形成装置Ａ１の背面側筐体１１ａまたは側面側筐体１１ｄに取り付けている場合について説明しているが、例えば図１３に示すように、画像形成装置Ａ１の背面側筐体１１ａ及び側面側筐体１１ｄに大型ディスプレイ２１を取り付けてもよい。なお、図１３（ａ）は背面側筐体１１ａに取り付けられた大型ディスプレイ２１ａに第２表示画面２３があり、側面筐体１１ｄに取り付けられた大型ディスプレイ２１ｂに第２表示画面が無い場合、同図（ｂ）は背面側筐体１１ａに取り付けられた大型ディスプレイ２１ａに第２表示画面２３が無く、側面筐体１１ｄに取り付けられた大型ディスプレイ２１ｂに第２表示画面がある場合を例示している。さらに、第２表示画面２３は大型ディスプレイ２１ａまたは２１ｂのいずれかに設けたが、両方に設けてもよく、両方に無くてもよい。
【００７８】
また、上記実施例では大型ディスプレイ２１の表示画面の反対側の面に第２表示画面を配置しているが、例えば図１４に示すように画像形成装置Ａ１の側面筐体に大型ディスプレイ２１を配置し第２表示画面を画像形成装置Ａ１の背面から突出するように配置してもよい。
【００７９】
＜本実施形態の表示一体型画像形成装置のシステム構成の説明＞
本実施形態では、上記構成の表示一体型画像形成装置をデジタル複合機に適用した場合について説明する。図１５は、そのようなデジタル複合機の電気的構成の概略、及びこのデジタル複合機と表示情報を管理している外部のサーバ装置８５との接続関係を示している。
【００８０】
まず、このデジタル複合機（画像形成装置）Ａ１の電気的構成について説明する。
【００８１】
図１５に示すように、デジタル複合機Ａ１は、スキャナー部５４、操作部５８、画像形成部５５、機器制御部５９、ＦＡＸモデム６０、通信部６１、管理部６２、及びハードディスク（ＨＤ）６３を備えている。すなわち、本実施形態のデジタル複写機Ａ１は、ＦＡＸとネットワークプリンタの複合機となっている。
【００８２】
スキャナー部５４は、ＣＣＤ５４ａや原稿検知センサ５４ｂなどを備えている。
【００８３】
操作部５８は、後述するタッチパネルやメカキーである各種機能ボタン等からなる入力部５８ａと、液晶等の表示パネルからなる表示部５８ｂとを備えている。
【００８４】
図１７は、操作部５８の構成を示している。
【００８５】
表示部５８ｂは、表示パネル１０１の上面に透明なタッチパネル１０４が配置された構造となっており、この表示部５８ｂの横（図では右横）に各種機能ボタン１０２とテンキー１０３とが配置されている。さらに、テンキー１０３の右横に、スタートボタンや全解除（ＣＡ）ボタンやクリア（Ｃ）ボタンが配置された構成となっている。
【００８６】
画像形成部５５は、印字データを展開する作業用のメモリ５５ｂを有する画像処理部５５ａ、外部からきたデータを機器内で保護するためにデータを暗号化してハードディスク６３に一時的に退避（保存）させるとともに、ハードディスク６３に退避させているデータを復号化して画像処理部５５ａに渡す暗号化／復号化部５５ｃ、レーザスキャニングユニット（ＬＳＵ）を有する印字部５５ｄなどを備えている。ここで、印字部５５ｄは電子写真方式に限定されず、インクジェット方式や熱転写方式等様々な形態に適用可能である。
【００８７】
機器制御部５９は、機器全体の動作制御を管理する部分であり、ＣＰＵ、ＲＯＭ、ＲＡＭ等で構成されており、表示制御としては、表示部５８ｂの表示制御の他、大型ディスプレイ２１の第１表示画面２２及び第２表示画面２３の表示制御も行うようになっている。
【００８８】
管理部６２は、機器の動作に必要な情報を管理する部分であり、例えば送受信で言えば、メールアドレスの管理やＦＡＸの電話番号の管理などを行う。また、ハードディスク６３に一時的に退避したデータの位置情報（アドレス情報）の管理や、プリンタモードで動作している場合に、当該プリンタへ出力するデータの位置情報の管理など、機器の動作に必要な情報を一括管理している。
【００８９】
また、本実施形態では、管理部６２は、後述する大型ディスプレイ２１への割込み表示を行なう時、ハードディスク６３に記憶した各種表示データを大型ディスプレイ２１の第１表示画面２２及び第２表示画面２３に表示する順序、時間等も管理している。
【００９０】
通信部６１は、ＬＡＮ７１及び外部ネットワーク７２との間で双方向通信を行う通信部であり、本実施形態では、受信したデータを機器が扱えるデータに展開するためのメモリを備えたプリンタボードとなっている。従って、通信部６１では、受信したデータをこのメモリ上で展開しながら、作業用のメモリ５５ｂに順次転送する。
【００９１】
上記構成のデジタル複合機Ａ１において、ＦＡＸモデム６０には、電話回線７３を介してファクシミリ装置８１が接続可能となっている。また、通信部６１には、ＬＡＮ７１を介して端末装置（パソコン）８２やＰＯＳ端末８３などが接続可能となっているとともに、無線接続によって携帯端末８４とも接続可能となっている。また、通信部６１には、外部ネットワーク７２介して外部のサーバ装置８５や、外部の支店（Ｂ店、Ｃ店）等とも接続可能となっている。外部ネットワークには、サーバ装置８５へ広告等の表示を依頼するためにクライアント１、クライアント２も接続されている。本実施形態のデジタル複合機Ａ１は、このようなネットワーク環境の中に配置されている。
【００９２】
大型ディスプレイ２１の第１表示画面２２及び第２表示画面２３に表示する各種情報、表示順序、表示時間等は外部のサーバ装置８５で基本的に管理されている。
【００９３】
上記実施形態では、大型ディスプレイ２１をＡ店に１台としているが、複数台設置し、これら複数台の大型ディスプレイ２１を外部のサーバ装置８５で表示管理を行なうようにしてもよい。
【００９４】
図１６は、サーバ装置８５の電気的構成の概略を示している。
【００９５】
サーバ装置８５は、機器制御部８５０１、ディスプレイ８５０２、キーボード８５０３、コンテンツ受付部８５０４、ＰＯＳデータ管理部８５０５、各店情報管理部８５０６、画像形成装置管理部８５０７、天候データ管理部８５０８、コンテンツ管理部８５０９、表示管理部８５１０、スケジュール管理部８５１１、通信部８５１２を備えている。
【００９６】
機器制御部８５０１は、サーバ装置全体の動作制御を管理する部分であり、図示は省略しているがＣＰＵ、ＲＯＭ、ＲＡＭ等で構成されている。
【００９７】
ディスプレイ８５０２は、サーバ装置８５が管理している各店の表示装置、画像形成装置の状態等を表示している。
【００９８】
キーボード８５０３は、サーバ装置８５から各店の表示装置へ制御指令等を入力するものである。
【００９９】
コンテンツ受付部８５０４は、外部ネットワーク７２を介してクライアント１、クライアント２等から依頼された広告、クーポン券情報等の表示情報、各店からの表示依頼情報、または、サーバ装置８５に直接入力された情報等を受け付ける。
【０１００】
ＰＯＳデータ管理部８５０５は、各店のＰＯＳ端末８３からの情報の受け付けと管理を行っている。
【０１０１】
各店情報管理部８５０６は、各店の端末装置８２から入力される地域イベント等の地域情報を記憶、管理している。
【０１０２】
画像形成装置管理部８５０７は、画像形成装置のカウンタ情報、動作情況を記憶、管理している。
【０１０３】
天候データ管理部８５０８は、外部ネットワーク７２を介して、図示しない天候情報を管理している団体（例えば気象庁等）からの情報を取得、管理している。
【０１０４】
コンテンツ管理部８５０９は、コンテンツ受付部８５０４で受け付けた情報を記憶している。
【０１０５】
表示管理部８５１０は、各店の表示装置の表示画面の分割表示、重ね合わせ表示等を管理している。
【０１０６】
スケジュール管理部８５１１は、コンテンツ管理部８５０９に記憶されている情報の表示順序、表示時間等を、大型ディスプレイ２１が設置されている店毎に記憶、管理している。また、スケジュール管理部８５１１は、ＰＯＳデータ管理部８５０５に記憶されている各店舗毎の商品の販売状況や購入商品の客層等の情報に基づく広告表示内容、時間帯による広告内容の入れ換え、天候データ管理部８５０８に記憶されている各地域の天気、気温等の情報に基づく広告表示内容の入れ換え、各店舗情報管理部８５０６に記憶されている地域イベント等の情報に基づく広告表示内容の入れ換え等も管理している。さらに、スケジュール管理部８５１１では、表示する広告等の表示データが動画であるか静止画であるかも管理し、動画データは各店のデジタル複合機Ａ１のＨＤ６３へデータを転送記憶させた後、スケジュール管理部８５１１の表示スケジュールに従ったタイミングで各店のデジタル複合機Ａ１のＨＤ６３から呼び出して表示させている。これにより、サーバ装置８５からのデータ転送に影響されずスムーズな画像表示が出来るようにしている。一方、静止画データについては、サーバ装置８５のコンテンツ管理部８５０９から各店の表示装置へ直接転送、表示させている。
【０１０７】
通信部８５１２は、外部ネットワーク７２との間で双方向通信を行う通信部であり、スケジュール管理部８５１１に記憶されている情報に基づいて、コンテンツ管理部８５０９で記憶されている情報を各店の大型ディスプレイ２１へ配信している。または、サーバ装置８５へ送信されてくる情報を機器制御部８５０１のＲＡＭへ一旦記憶し、機器制御部８５０１から送信された情報の内容に従った場所へ転送される。
【０１０８】
すなわち、本実施形態では、サーバ装置８５による管理の下、大型ディスプレイ２１へ広告等の情報を表示させるようになっている。
【０１０９】
図１８Ａ及び図１８Ｂは、大型ディスプレイ２１に表示させるデータをデジタル複合機Ａ１から設定する際の設定処理手順の一例を示している。以下、この設定処理手順について説明する。
【０１１０】
図１７に示す操作部５８の表示パネル１０１（タッチパネル１０４）に表示された「特別機能」を選択すると、図１８Ａ（ａ）に示す画面に移行する。
【０１１１】
図１８Ａ（ａ）に示す特別機能の画面は、デジタル複合機Ａ１の動作設定を行う画面であり、この画面から「表示設定」を選択することにより、図１８Ａ（ｂ）に示す画面に移行する。
【０１１２】
図１８Ａ（ｂ）に示す表示設定画面は、大型ディスプレイ２１に表示させる表示データの選択画面であり、「原稿の読み取り」、「ＷＥＢアクセス」、「ドキュメントファイリング」で構成されている。
【０１１３】
「原稿の読み取り」は、大型ディスプレイ２１に表示させる表示データをスキャナー部５４を用いて読み取る際に選択される。「ＷＥＢアクセス」は、大型ディスプレイ２１に指定のウェブページを表示させるものである。「ドキュメントファイリング」は、ハードディスク６３に記憶されているデータ（画像データ）を管理部６２の図示しないメモリ部に記憶されている管理情報に基づいて大型ディスプレイ２１に表示させる際に用いられるものである。以下、選択画面の各項目を選択した場合について順次説明する。
【０１１４】
＜１＞「原稿の読み取り」を選択した場合の説明
図１８Ａ（ｂ）で「原稿読み取り」を選択することで、図１８Ａ（ｃ）に示す画面に移行する。図１８Ａ（ｃ）に示す画面はスキャナー部５４を用いて読み取った原稿を外部のサーバ装置８５経由で表示させるか、デジタル複合機Ａ１の管理下で表示させるかを選択する画面である。
【０１１５】
図１８Ａ（ｃ）で「割込み表示」を選択すると、図１８Ｂ（ｄ）に示す画面に移行する。ここでは割込み表示を行なう日時を入力する。日時を入力し、「ＯＫ」を選択すると、図１８Ｂ（ｅ）に示す画面に移行する。ここでは割込み表示の表示形態を選択する。割込み表示の形態としては、外部のサーバ装置８５で管理されている表示情報に重ね合わせて表示するのか、表示画面を左右または上下に分割して表示するのかを選択できるようにしている。また、表示画面についても、デジタル複合機Ａ１背面側の第１表示画面２２のみに表示、または第２表示画面２３のみに表示、または第１表示画面２２及び第２表示画面２３の両方に表示、のいずれかを選択できるようにしている。
【０１１６】
この図１８Ｂ（ｅ）に示す画面から画面表示の選択を適宜行ない、「ＯＫ」を選択すると、図１８Ｂ（ｆ）に示す画面に移行する。図１８Ｂ（ｆ）には、原稿の読み込み手順が表示されているので、この表示状態でスキャナー部５４に原稿を載置し、図１７に示す操作部５８の「スタート」を選択すると、図１９に示すように割込み画像（ここでは「タイムセール」告知）が大型ディスプレイ２１に表示される。この時、スキャナー部５４で読み込まれた原稿のデータは画像形成装置Ａ１のハードディスク６３に記憶され、割込み表示時間等の管理データは管理部６２で管理される。図１９（ａ）は、サーバ装置８５の管理による画像を表示している第１表示画面２２に、割込み画像を重ね合わせた場合、図１９（ｂ）は、第１表示画面２２を分割し、画面上部に割込み画像を、画面下部にサーバ装置８５の管理による画像を表示している場合を例示している。なお、第２表示画面２３での割込み画像表示は図示していないが、第２表示画面２３にも割込み画像を表示させることも可能である。また、上記実施例では記載していないが、デジタル複合機Ａ１の操作部５８の表示パネル１０１に割込み画像を表示してもよい。
【０１１７】
一方、図１８Ａ（ｃ）で「サーバへアップロード」を選択すると、図２０（ａ）に示す画面に移行する。ここでは図１８Ｂ（ｄ）と同様、割込み表示を行なう日時を入力する。日時を入力し、「ＯＫ」を選択すると、図２０（ｂ）に示す画面に移行する。ここでは割込み表示の表示形態を選択する。割込み表示の形態としては、外部のサーバ装置８５で管理されている表示情報に差し替える１面表示とするのか、表示画面を左右または上下に分割した分割画面表示とするのかを選択できるようにしている。また、表示画面についても、デジタル複合機Ａ１背面側の第１表示画面２２のみに表示、または第２表示画面２３のみに表示、または第１表示画面２２及び第２表示画面２３の両方に表示、のいずれかを選択できるようにしている。
【０１１８】
この図２０（ｂ）に示す画面から画面表示の選択を行ない、「ＯＫ」を選択すると、図１８Ｂ（ｆ）に示す画面に移行する。図１８Ｂ（ｆ）には、原稿の読み込み手順が表示されているので、この表示状態でスキャナー部５４に原稿を載置し、図１７に示す操作部５８の「スタート」を選択すると、図２１に示すように割込み画像（ここでは「タイムセール」告知）が大型ディスプレイ２１に表示される。この時、スキャナー部５４で読み込まれた原稿のデータは画像形成装置Ａ１の通信部６１からＬＡＮ７１、外部ネットワーク７２を介して外部のサーバ装置８５へ送信され、サーバ装置８５のコンテンツ受付部８５０４を経由してコンテンツ管理部に記憶される。また、割込み表示時間等の管理データも同じく画像形成装置Ａ１から外部のサーバ装置８５へ送信され、サーバ装置のスケジュール管理部に記憶、管理される。ここで、図２１はサーバ装置８５の管理による画像を表示している第１表示画面２２に、割込み画像を差し替えて表示した一例である。すなわち、割り込み表示前は、外部のサーバ管理８５により図２１（ａ）、（ｃ）、（ｄ）の順で所定時間経過すると表示を切り換えていたが、割り込み表示後は、図２１（ａ）、（ｂ）、（ｃ）、（ｄ）の順で所定時間経過すると表示を切り換えるようになる。
【０１１９】
なお、図２１（ｂ）に示す割り込み画像の挿入箇所は割り込み設定のタイミングにより適宜変わるものである。すなわち、割り込み設定完了時の表示画像が図２１（ａ）である場合にはその次に挿入され、割り込み設定完了時の表示画像が図２１（ｃ）である場合にはその次に挿入され、割り込み設定完了時の表示画像が図２１（ｄ）である場合にはその次に挿入されることになる。
【０１２０】
図２２はこのような割り込み表示処理のフローチャートである。サーバ装置８５の管理による表示がされているときに（ステップＳ１）、割り込み表示指示の有無を確認し（ステップＳ２）、割り込み指示がなければ、サーバ装置８５の管理による表示を継続する。一方、割り込み指示があれば（ステップＳ２でＹｅｓと判断されれば）、設定された割り込み指示に従って、割り込み画像を表示させる（ステップＳ３）。そして、割り込み表示状態で割り込み終了設定された時間が経過したかどうかを確認し（ステップＳ４）、終了時間に到達していなければ、割り込み表示を継続する。一方、割り込み時間が経過すれば（ステップＳ４でＹｅｓと判断されると）、割り込み表示を終了してステップＳ１に戻り、サーバ装置８５の管理による表示に切り換わる。
【０１２１】
図２３は、割り込み表示を行うときの表示の遷移状態の各種実施例を示した説明図である。
【０１２２】
図２３（ａ）は、割り込み表示前の通常の表示状態を示している。ここでは、広告等の表示が、表示１、表示２、表示３、表示４の順で所定時間経過するたびに遷移し、これを繰り返している。
【０１２３】
また、図２３（ｂ）は、表示画面一面を使った割り込み表示設定（すなわち、画面の差し替えによる割り込み表示設定）があった場合の表示遷移状態を示しており、広告等の表示が、表示１、表示２、表示３、表示４の順で遷移中において、表示１が表示されているとき（ｔ１）にサーバ装置８５へ割り込み表示指示を行った結果、表示１から表示２へ遷移するときに割り込み表示が挿入される。そして、割り込み表示が所定時間経過したとき、表示２に切り換わり、その後は割り込み表示終了設定時間になるまで、表示１、割り込み表示、表示２、表示３、表示４の順で所定時間経過するたびに表示が遷移し、割り込み表示終了時間（ｔ２）になると、元の表示１、表示２、表示３、表示４の順で所定時間経過するたびに表示が遷移する通常の状態に戻る例である。
【０１２４】
また、図２３（ｃ）は、割り込み表示を表示画面分割で行う例である。割り込み指示タイミング（ｔ１１）は図２３（ｂ）の場合（ｔ１）と同じであるが、割り込み表示後は表意画面の上部（下部、または左右の場合もある）に割り込み表示を常に行い、下部に表示２、表示３、表示４、表示１の順で所定時間経過するたびに表示が遷移し、これを繰り返している。そして、割り込み表示終了時間（ｔ１２）になると、元の表示１、表示２、表示３、表示４の順で所定時間経過するたびに表示が遷移する通常の状態に戻る例である。
【０１２５】
＜２＞「ＷＥＢアクセス」を選択した場合の説明
次に、図１８Ａ（ｂ）の操作パネル１０１の表示状態で「ＷＥＢアクセス」を選択した場合について説明する。
【０１２６】
「ＷＥＢアクセス」は、大型ディスプレイ２１に指定のウェブページを表示させるものであり、「ＷＥＢアクセス」を選択することで、図１８Ａ（ｃ）に示す画面と同様の画面に移行し、その後、図１８Ｂ（ｄ），（ｅ）、または図２０（ａ），（ｂ）に示す画面と同様の画面で割り込み設定を行う。そして、図２４に示されている文字キー等を用いることにより、特定のホームページのアドレス設定が可能となっている。
【０１２７】
＜３＞「ドキュメントファイリング」を選択した場合
次に、図１８Ａ（ｂ）の操作パネル１０１の表示状態で「ドキュメントファイリング」を選択した場合について説明する。
【０１２８】
「ドキュメントファイリング」は、ハードディスク６３に記憶されているデータ（画像データ）を、管理部６２の図示しないメモリ部に記憶されている管理情報に基づいて大型ディスプレイ２１に表示させる際に用いられるものであり、この「ドキュメントファイリング」を選択することで、図１８Ａ（ｃ）に示す画面と同様の画面に移行し、その後、図１８Ｂ（ｄ），（ｅ）、または図２０（ａ），（ｂ）に示す画面と同様の画面で割り込み設定を行う。そして、図２５（ａ）に示す「ドキュメントファイリング」の画面に移行する。
【０１２９】
図２５（ａ）に示す「ドキュメントファイリング」画面は、「スキャン保存」、「ファイリングフォルダ」、「自動一時保存フォルダ」で構成されている。図２５（ｂ）は、この「ドキュメントファイリング」画面の「自動一時保存フォルダ」が選択された場合の表示画面の一例であり、表示されたファイル一覧から所望のファイルを選択することにより、大型ディスプレイ２１に表示させるデータが選択可能となっている。この場合、複数個のファイルを選択することも可能であり、複数個のファイルを選択した場合には、選択されたファイルの表示データが例えば所定時間（若しくは利用者が設定した時間）で順次切り換えられて表示されるようになっている。
【０１３０】
また、図１８Ａ（ｂ）の「詳細設定」は、大型ディスプレイ２１に複数の画面を表示させる場合や、表示時間の設定等を行う場合に用いられる。この「詳細設定」を行うことで、例えば第１表示画面２２にＡデータを表示し、第２表示画面にＢデータを表示するといった設定等が可能となる。
【０１３１】
なお、図１８Ａ（ｂ）の「原稿の読み取り」、「ＷＥＢアクセス」、「ドキュメントファイリング」の各選択画面の操作によって取得されたデータは、ハードディスク６３に記憶（保存）されるか、サーバ装置８５のコンテンツ受付部８５０４を経てコンテンツ管理部８５０９に保存される。図１８Ａ（ｃ）で「割り込み表示」を選択した場合、ハードディスク６３に記憶（保存）された表示時間等の表示管理情報は、管理部６２の図示しないメモリ部に記憶される。図１８Ａ（ｃ）で「サーバへアップロード」を選択した場合、サーバ装置８５のコンテンツ管理部８５０９に保存されている表示時間等の表示管理情報は、スケジュール管理部８５１１に記憶される。そして、デジタル複合機Ａ１または外部サーバ装置８５に記憶されているこれら表示管理情報に基づいて、大型ディスプレイ２１の各表示画面に表示を行うようになっている。
【０１３２】
なお、上記実施形態では、割り込み表示を第１表示画面２２で説明したが、第２表示画面２３に表示させても良い。このようにすれば、店外の歩行者に対しては第１表示画面２２の大画面による宣伝広告によってタイムセール等の緊急実施を告知することができ、店内の客に対しても第２表示画面２３によってタイムセール等の告知を行うことができる。また、公序良俗に反するような表示がなされることを防止するために、割り込み表示の設定をする前に利用者認証を行うことが望ましい。
【０１３３】
＜大型ディスプレイに表示された各種データを印字出力する場合の説明＞
次に、上記構成の表示一体型画像形成装置において、大型ディスプレイ２１に表示された各種データを見た客がデジタル複合機Ａ１から所望するデータを印字出力する場合の実施例について説明する。
【０１３４】
図２６は、大型ディスプレイ２１の第１表示画面２２に表示されるコンビニや食品スーパーなどを対象とした広告データの表示例であり、符号２０１，２０２で示す表示例は、例えば食材やメニュー、新商品などを中心とした商品紹介型の広告データの表示例、符号２０３，２０４で示す表示例は、例えば催事やイベントなどを紹介するイベント紹介型の広告データの表示例である。このような広告を、歩道側のガラス窓に接近させて配置した大型ディスプレイ２１に表示することで、歩行者に対してインパクトのある宣伝広告を行うことができる。
【０１３５】
ここで、大型ディスプレイ２１の第１表示画面２２に、例えば図２６の符号２０１，２０２、２０３、２０４で示す広告データが所定時間経過するたびに順次遷移表示されているものとする。
【０１３６】
この広告データを見た歩行者が、その広告に関連するデータを取得するために店内に入り、デジタル複合機Ａ１の前に来ると、大型ディスプレイ２１の第２表示画面２３には、図２７に示すように、第１表示画面２２で遷移表示されている画像のサムネイル画像が表示されている。ここで、第２表示画面２３をタッチするか、所望の番号を操作パネルから入力することによって（ここでは「２」が選択されたとする）、その関連情報として、図２８の符号３０１で示す食材情報のトップページが表示される。上記したように、この表示画面には、操作入力用のタッチパネルが設けられているので、この画面を見た客（操作者）が、例えば「お買い得商品」３０１ａをタッチすると、符号３０２で示すお買い得情報が第２表示画面２３に表示される。ここで、操作者がこのお買い得情報の画面の「本日のクーポン」３０２ａにタッチすると、図示は省略しているが、印刷の有無を確認する画面が表示されるので、引き続いてその画面の「印刷」にタッチすると、機器制御部５９は、これを受けてハードディスク６３または外部サーバ装置８５のコンテンツ管理部８５０９に保存されている本日のお買い得商品のデータとクーポン券のデータとを読み出し、画像処理部５５ａ及び印字部５５ｄを介してこれらのデータを印字出力する。すなわち、クーポン券を発行する。また、クーポン券等は無用に大量発行されることを防止するために携帯電話などの携帯端末８４に送信する方法も可能である。
【０１３７】
また、図２８に示す食材情報のトップページの画面３０１を見た操作者が、例えば「おすすめ商品」３０１ｂをタッチすると、符号３０３で示すおすすめ商品情報が第２表示画面２３に表示される。ここで、操作者がこのおすすめ商品情報画面３０３の「印刷」３０３ａにタッチすると、機器制御部５９は、これを受けてハードディスク６３または外部サーバ装置８５のコンテンツ管理部８５０９に保存されているおすすめ商品の説明データとこれを使ったレシピデータとを読み出し、画像処理部５５ａ及び印字部５５ｄを介してこれらのデータを印字出力する。
【０１３８】
また、図２８に示す食材情報のトップページの画面３０１を見た操作者が、例えば「イベント情報」３０１ｃをタッチすると、符号３０４で示すイベント情報が第２表示画面２３に表示される。ここで、操作者がこのイベント情報画面３０４の「印刷」３０４ａにタッチすると、機器制御部５９は、これを受けてハードディスク６３または外部サーバ装置８５のコンテンツ管理部８５０９に保存されているタイムセールや今月のイベント情報の説明データとそれらに参加するチケットのデータとを読み出し、画像処理部５５ａ及び印字部５５ｄを介してこれらのデータを印字出力する。すなわち、チケットを発行する。
【０１３９】
また、図２８に示す食材情報のトップページの画面３０１を見た操作者が、例えば「本日のクーポン券」３０１ｄをタッチすると、図示は省略しているが、発行可能なクーポン券の一覧が表示されるので、操作者はその中から所望のクーポン券にタッチし、続けて図示しない「印刷」にタッチすると、機器制御部５９は、これを受けてハードディスク６３または外部サーバ装置８５のコンテンツ管理部８５０９に保存されている該当クーポンのデータを読み出し、画像処理部５５ａ及び印字部５５ｄを介してこのデータを印字出力する。すなわち、クーポン券を発行する。また、上記実施例では記載していないが、デジタル複合機Ａ１の操作部５８の表示パネル１０１に図２７のようなサムネイル画像を表示してもよい。
【０１４０】
なお、大型ディスプレイ２１に表示された各種データをデジタル複合機Ａ１から印字出力する場合の記録用紙については、課金してコピーサービスを提供するときの記録用紙と異なる用紙を使用するようにしてもよい。すなわち、大型ディスプレイ２１に表示されたデータの印字出力は、店の顧客を確保するためのサービスとして提供するものであるため、消費者には無料サービスとして手軽に利用してもらう必要がある。すなわち、無料で提供することが前提である。そこで、大型ディスプレイ２１に表示されたデータの印字出力時には、裏に広告刷りが施された記録用紙を使用することで、印刷の課金を広告主に負担させ、これによって消費者には無料サービスで手軽に印刷してもらうことができる。
【０１４１】
上記実施形態は、コンビニや食品スーパーなどを対象とした実施形態であったが、図２９は、不動産会社に本発明の表示一体型画像形成装置を適用した場合の実施形態である。
【０１４２】
不動産会社においても、近時は歩道側を全面ガラス張りとし、このガラス面に広告を貼付する手法が採用されている。従って、このガラス面に本発明の表示一体型画像形成装置の大型ディスプレイ２１の第１表示画面２２を接近させて配置することで、上記コンビニ等と同様に、不動産情報の宣伝広告を行うことができる。
【０１４３】
すなわち、図２９に示すように複数の物件情報を表示する。この物件情報を見た歩行者が、その物件に関連するデータを取得するために店内に入り、デジタル複合機Ａ１の前に来ると、操作部５８の表示パネル１０１（タッチパネル１０４）に、図２９の符号４０１で示す物件情報のトップページが表示されているので、この画面を見た客（操作者）が、「物件一覧表示」を選択して、該当する物件情報を選択する。この選択は、例えば第１表示画面２２に表示されている物件情報に簡単な連続番号等を付与しておき、物件一覧から選択するときに、この番号によって該当物件を選択できるようにしておけばよい。これにより、第２表示画面２３に選択した物件情報が表示されるので、その内容を確認した操作者が、操作部５８のスタートボタンを押すことにより、機器制御部５９は、ハードディスク６３に保存されている当該物件情報のデータを読み出し、画像処理部５５ａ及び印字部５５ｄを介してこの物件情報のデータを印字出力する。
【０１４４】
なお、上記実施形態の表示一体型画像形成装置は、上記したように大型ディスプレイ２１がデジタル複合機Ａ１の装置筐体１１に沿って回転可能に設けられている。従って、機器制御部５９は、大型ディスプレイ２１の回転角度に応じて第１及び第２表示画面２２，２３の表示方向を切り替える必要がある。そのため、本実施形態では、ディスプレイ回転機構部４０の回転盤４３に、回転角度検出手段６４を配置している。回転盤４３の回転方向や回転角度を検出する手段は従来から種々提案されており、本実施形態においてもそれらの周知技術を適用することが可能であるが、最も簡単な構成としては、各ピン溝４３ａ，４３ｂ，４３ｃの底面にリミットスイッチ６４ａ，６４ｂ，６４ｃ（図６及び図７参照）を配置し、回転固定ピン４６の先端部がいずれかのピン溝に係合したとき、対応するリミットスイッチがオンするように構成しておけばよい。そして、これらリミットスイッチ６４ａ，６４ｂ，６４ｃのオン、オフ信号を機器制御部５９に入力することにより、機器制御部５９において大型ディスプレイ２１の回転方向及び回転角度位置が分かるので、この信号に基づいて大型ディスプレイ２１の第１及び第２表示画面２２，２３の表示方向を切り替えることができる。これにより、店舗側の事情に合わせた種々の設置形態をとることが可能となる。
【図面の簡単な説明】
【０１４５】
【図１】本発明の表示一体型画像形成装置の一実施形態の外観斜視図である。
【図２】本発明の表示一体型画像形成装置をコンビニに設置した状態の一例を示しており、（ａ）は斜視図、（ｂ）は平面図である。
【図３】（ａ）〜（ｃ）は、本実施形態の大型ディスプレイを画像形成装置の背面側筐体に対して上下方向にスライド移動させたときの動作イメージ図、（ｄ）〜（ｆ）は、大型ディスプレイを画像形成装置の背面側筐体に沿って±９０度回転させたときの動作イメージ図である。
【図４】上下移動機構部の分解斜視図である。
【図５】上下移動機構部を上から見た断面図である。
【図６】回転移動機構部の要部斜視図である。
【図７】回転移動機構部を上から見た断面図である。
【図８】上下移動機構部と回転機構部を一体として設けた場合の要部分解斜視図である。
【図９】本発明の表示一体型画像形成装置の他の実施形態を示しており、画像形成装置の一方の側面側筐体に大型ディスプレイを取り付けた状態を示す斜視図である。
【図１０】側面側筐体に大型ディスプレイを取り付けた表示一体型画像形成装置をコンビニに設置した状態の一例を示す平面図である。
【図１１】本発明の表示一体型画像形成装置のさらに他の実施形態を示しており、画像形成装置の背面側筐体及び側面側筐体に大型ディスプレイを取り付けた状態を示す斜視図である。
【図１２】大型ディスプレイを開閉扉として兼用した例を示す斜視図である。
【図１３】本発明の表示一体型画像形成装置のさらに他の実施形態を示しており、画像形成装置の背面側筐体及び側面側筐体に大型ディスプレイを取り付けた状態を示す斜視図である。
【図１４】本発明の表示一体型画像形成装置のさらに他の実施形態を示しており、画像形成装置の側面筐体に大型ディスプレイを配置し第２表示画面を画像形成装置の背面から突出するように配置した状態を示す斜視図である。
【図１５】本発明の表示一体型画像形成装置をデジタル複合機に適用した場合の電気的構成を示すブロック図である。
【図１６】サーバ装置の電気的構成を示すブロック図である。
【図１７】操作部の構成を示す説明図である。
【図１８Ａ】大型ディスプレイに表示させるデータを表示パネルから設定する際の設定処理手順を示す説明図である。
【図１８Ｂ】大型ディスプレイに表示させるデータを表示パネルから設定する際の設定処理手順を示す説明図である。
【図１９】大型ディスプレイの第１表示画面に表示される広告データの表示例を示す説明図である。
【図２０】大型ディスプレイに表示させるデータを表示パネルから設定する際の設定処理手順を示す説明図である。
【図２１】大型ディスプレイに割り込み画像を表示するときの表示順の一例を示す説明図である。
【図２２】割り込み表示処理の手順を示すフローチャートである。
【図２３】サーバ装置管理による割り込み画像が無い場合と有る場合の表示制御の一例を示す説明図である。
【図２４】「ＷＥＢアクセス」が選択された場合の表示パネルに表示される文字キーの一例を示す説明図である。
【図２５】「ドキュメントファイリング」が選択された場合の表示パネルに表示される文字キーの一例を示す説明図である。
【図２６】大型ディスプレイの第１表示画面に表示されるコンビニや食品スーパーなどを対象とした広告データの表示例を示す説明図である。
【図２７】大型ディスプレイの第２表示画面に表示されるサムネイル画像の表示例を示す説明図である。
【図２８】大型ディスプレイの第２表示画面に表示される食材のトップページからの操作例を示す説明図である。
【図２９】本発明の表示一体型画像形成装置を不動産会社に適用した場合の表示画面の表示例を示す説明図である。
【図３０】コンビニの一般的な配置構成を示す説明図である
【符号の説明】
【０１４６】
Ａ１  画像形成装置（デジタル複合機）
１１ａ  背面側筐体
１１ｂ  右側面側筐体
１１ｃ  正面側筐体
１１ｄ  左側面側筐体
１２  前扉
１３，１４  横扉
２１  表示装置（大型ディスプレイ）
２１ａ  背面側筐体
２２  表示画面（第１表示画面）
２３  第２表示画面
２４  ディスプレイ保持スライダ
２５  レール突起部
２６  ネジ
２７（２７ａ〜２７ｃ）  固定穴
２８  保持部
３０  上下移動機構部（ディスプレイ上下移動機構部）
３１  保持板
３２  ガイドレール板
３３  レール溝部
３６  上下動固定ピン
３６ａ  ハンドル部
３７  コイルバネ
４０  回転移動機構部（ディスプレイ回転移動機構部）
４１  軸受部
４１ａ  第１軸受部
４１ｂ  第２軸受部
４２  回転軸
４２ａ  一端部
４２ｂ  他端部
４３ａ〜４３ｃ  ピン溝
４６  回転固定ピン
４６ａ  ハンドル部
４７  コイルバネ
５１  胴内排紙口部
５２  原稿押さえ蓋
５３  原稿読取部
５４  スキャナー部
５４ａ  ＣＣＤ
５４ｂ  原稿検知センサ
５５  画像形成部
５５ａ  画像処理部
５５ｂ  メモリ
５５ｃ  暗号化／復号化部
５５ｄ  印字部
５６  給紙部
５７  排紙トレイ
５８  操作部
５８ａ  入力部
５８ｂ  表示部
５９  表示部
６０  ＦＡＸモデル
６１  通信部
６２  管理部
６３  ハードディスク（ＨＤ）
６４ａ，６４ｂ，６４ｃ  リミットスイッチ
７１  ＬＡＮ
７２  外部ネットワーク
７３  電話回線
８１  ファクシミリ装置
８２  端末装置（パソコン）
８３  ＰＯＳ端末
８４  携帯端末
８５  サーバ装置
１０１  表示パネル
１０２  各種機能ボタン
１０３  テンキー
８５０１  機器制御部
８５０２  ディスプレイ
８５０３  キーボード
８５０４  コンテンツ受付部
８５０５  ＰＯＳデータ管理部
８５０６  各店情報管理部
８５０７  画像形成装置管理部
８５０８  天候データ管理部
８５０９  コンテンツ管理部
８５１０  表示管理部
８５１１  スケジュール管理部
８５１２  通信部
【図１】
0004657322.tif 000002
【図２】
0004657322.tif 000003
【図３】
0004657322.tif 000004
【図４】
0004657322.tif 000005
【図５】
0004657322.tif 000006
【図６】
0004657322.tif 000007
【図７】
0004657322.tif 000008
【図８】
0004657322.tif 000009
【図９】
0004657322.tif 000010
【図１０】
0004657322.tif 000011
【図１１】
0004657322.tif 000012
【図１２】
0004657322.tif 000013
【図１３】
0004657322.tif 000014
【図１４】
0004657322.tif 000015
【図１５】
0004657322.tif 000016
【図１６】
0004657322.tif 000017
【図１７】
0004657322.tif 000018
【図１８Ａ】
0004657322.tif 000019
【図１８Ｂ】
0004657322.tif 000020
【図１９】
0004657322.tif 000021
【図２０】
0004657322.tif 000022
【図２１】
0004657322.tif 000023
【図２２】
0004657322.tif 000024
【図２３】
0004657322.tif 000025
【図２４】
0004657322.tif 000026
【図２５】
0004657322.tif 000027
【図２６】
0004657322.tif 000028
【図２７】
0004657322.tif 000029
【図２８】
0004657322.tif 000030
【図２９】
0004657322.tif 000031
【図３０】
0004657322.tif 000032